(57)【要約】      （修正有）【課題】冗長電源システムに含まれる電力供給装置の故障を検査可能な冗長電源システムを提供する。【解決手段】電力供給装置１００は、安定化電源部１１０と、逆流防止部１２０と、出力電圧が負荷３００を動作させるための定格電圧より低く且つ負荷を動作させることが可能な所定の電圧以下である場合に警報を出力するコンパレータ１４０と、電圧低下試験を開始した際に出力電圧を低下させることと、警報が出力された際、又は出力電圧が負荷を動作させられない電圧に到達した際に、出力電圧の低減を中止することと、警報が出力されたか否かを表す信号を送信することとを行う試験制御手段１５０と、を備える。試験実行装置は、互いに並列に接続された複数台の電力供給装置、及び負荷を動作させるために最低限必要な電力供給装置の全ての組合せについて、各組合せに含まれない全ての電力供給装置に電圧低下試験を開始させ、その結果を出力する。【選択図】図２
2019118205.tif 000002
【特許請求の範囲】
【請求項１】
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手段と
を含み、互いに並列に接続された複数台の電力供給装置、及び
前記負荷を動作させるために最低限必要な前記電力供給装置の全ての組合せにおける各組合せについて、前記各組合せに含まれない全ての前記電力供給装置に前記電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する
試験実行装置
を備えた冗長電源システム。
【請求項２】
前記冗長電源システムが前記負荷及び前記電力供給装置に関してｎ＋ｍ冗長構成（ｎ及びｍは自然数）を成す場合に、前記試験実行装置は、前記負荷を動作させるために最低限必要な前記電力供給装置の台数を前記ｎにする
請求項１に記載の冗長電源システム。
【請求項３】
前記試験制御手段は、前記入力電力を遮断するか、又は前記出力電圧値の絶対値を、前記負荷を動作させることが不可能な電圧の絶対値に比べて十分低い電圧値にする出力停止試験を実行可能な
請求項１又は２に記載の冗長電源システム。
【請求項４】
前記試験実行装置は、前記警報信号が出力されなかった場合に、前記出力停止試験を実行する
請求項３に記載の冗長電源システム。
【請求項５】
前記試験制御手段は、前記安定化電源部に前記出力電圧値の絶対値を、前記電圧低下制御を中止した場合であっても、前記電圧低下制御の中止が実際に効果を発揮するまでの間に前記負荷が正常に動作可能な範囲内で徐々に低下させる
請求項１乃至４の何れか１項に記載の冗長電源システム。
【請求項６】
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手段と
を備えた電力供給装置。
【請求項７】
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
電圧低下試験の開始信号を受信した際に、前記安定化電源部に前記出力電圧値の絶対値を現在の電圧から徐々に  低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手段と
を含み、互いに並列に接続された複数台の電力供給装置に接続され、
前記負荷を動作させるために最低限必要な前記電力供給装置の全ての組合せにおける各組合せについて、前記各組合せに含まれない全ての前記電力供給装置に前記電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する
試験実行装置。
【請求項８】
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
試験制御手段と
を含み、互いに並列に接続された複数台の電力供給装置、及び
試験実行装置
を備えた冗長電源システムにおける前記電力供給装置の試験方法であって、
前記電力供給装置によって、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手順と、
前記試験実行装置によって、
前記負荷を動作させるために最低限必要な前記電力供給装置の全ての組合せにおける各組合せについて、前記各組合せに含まれない全ての前記電力供給装置に前記電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する手順と
を行う、電力供給装置の試験方法。
【請求項９】
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
試験制御手段と
を含み、互いに並列に接続された複数台の電力供給装置、及び
試験実行装置
を備えた冗長電源システムにおける前記電力供給装置が備えるコンピュータに、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御処理を実行させる
電力供給装置の試験プログラム。
【請求項１０】
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
試験制御手段と
を含み、互いに並列に接続された複数台の電力供給装置、及び
試験実行装置
を備えた冗長電源システムにおける前記試験実行装置が備えるコンピュータに、
前記負荷を動作させるために最低限必要な前記電力供給装置の全ての組合せにおける各組合せについて、前記各組合せに含まれない全ての前記電力供給装置に電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する
処理を実行させる
試験実行装置の試験プログラム。
【発明の詳細な説明】
【技術分野】
【０００１】
本発明は、電気装置へ電力を供給する技術に関する。
【背景技術】
【０００２】
本明細書において、負荷（１台以上の電気装置の全体）に、複数台の電力供給装置（電力供給ユニット）によって電力を供給する電源を「集中電源」と称することとする。
【０００３】
集中電源には、個々の電気装置に対して個別の電源を用意する場合に比べて、電力平準化によって電力供給装置の台数を減らしたり、入力電力に対する出力電力の変換効率を高めたりすることができるという効果がある。
【０００４】
集中電源では、個々の電力供給装置における故障に対する耐故障性を高めるために、「ｎ＋ｍ冗長電源」（以下、単に「冗長電源」とも称す）の構成をとることが多い。本明細書において、ｎ＋ｍ冗長電源とは、負荷の動作に少なくともｎ台（ｎ：自然数）の電力供給装置が必要である場合に、通常時にはｎ＋ｍ台（ｍ：自然数）の電力供給装置によって負荷を動作させ、ｎ＋ｍ台の電力供給装置のうち１乃至ｍ台の電力供給装置が故障した場合に、ｎ＋ｍ台の電力供給装置のうち故障していない電力供給装置によって、負荷を動作させることとする。尚、ｎ＋ｍ冗長電源を慣習的に「ｎ＋ｎ冗長電源」と称することがあるが、本明細書ではｎ＋ｍ冗長電源と称する。
【０００５】
集中電源又は冗長電源では、複数台の電力供給装置が互いに並列に接続されるので、各電力供給装置は、他の電力供給装置からの電流の流入を防止する機構（以下、「逆流防止機構」と称す）を有することが多い。
【０００６】
逆流防止機構を有する電源技術の一例が特許文献１に開示されている。特許文献１の電源冗長回路は、負荷に対して複数の電源部を並列接続した電源冗長回路である。各電源部は、ＭＯＳ（Metal Oxide Semiconductor）トランジスタと、比較判定回路と、制御回路とを含む。ＭＯＳトランジスタは、電源（ＤＣ（Direct Current）−ＤＣコンバータ）から負荷への電源供給経路に挿入される。比較判定回路は、ＭＯＳトランジスタの負荷側の端子電圧とＭＯＳトランジスタの電源側の端子電圧の大小関係を比較判定する。制御回路は、比較判定回路による比較判定結果に基づいて、ＭＯＳトランジスタのオン／オフを制御する。上記構成の結果、特許文献１の電源冗長回路は、並列接続された他の電源からの回り込み電流を防止する。
【先行技術文献】
【特許文献】
【０００７】
【特許文献１】特開２０１０−２２０３０４号公報
【発明の概要】
【発明が解決しようとする課題】
【０００８】
特許文献１の電源冗長回路によって、例えば、１＋１冗長電源を構成した場合について説明する。特許文献１の電源冗長回路は、最初に２台の電源部の何れも故障していなければ、一方の電源部が故障しても、故障していない電源部が故障した電源部によって供給されていた電力分だけ供給電力を増加することによって、故障発生前と同じ電力を供給する。即ち、特許文献１の電源冗長回路では、２台の電源部のうち一方の電源部が故障しても、負荷を正常に動作させることができる。しかしながら、特許文献１の電源冗長回路は、最初に２台の電源部のうち一方のみが故障していれば、途中で他方の電源部が故障すると、他方の電源部における故障発生前と同じ電力を供給することができない。即ち、特許文献１の電源冗長回路では、２台の電源部の両方が故障すると、負荷を正常に動作させることができない。
【０００９】
各電源部が、最初に完全には故障しておらず、一見正常に動作していても、特許文献１の電源冗長回路が、途中で負荷を正常に動作させることができなくなる場合がある。例えば、最初に、２台の電源部のうち一方が、負荷の動作に必要な電力の５０％以下の電力を供給可能であるが、負荷の動作に必要な電力の５０％を超える電力を供給不可能である故障（部分故障）を有することとする。又、他方の電源部は、最初に、故障を有していないこととする。この場合、最初に、各電源部は、負荷の動作に必要な電力の５０％の電力を供給できるので、電源冗長回路は負荷を正常に動作させることができる。しかしながら、途中で、最初に故障を有していなかった電源部が故障すると、部分故障を有する電源部は負荷の動作に必要な電力の１００％の電力を供給できないので、電源冗長回路は負荷を正常に動作させることができない。
【００１０】
通常、このような部分故障を、電源部の動作時に診断することは困難である。従って、特許文献１の電源冗長回路では、各電源部が故障を電源部の非動作時に検査する必要がある。非動作時における電源部（電力供給装置）の検査を適切な頻度で行うことは、サービス利用性の低下や、保守工数の増大を引き起こすという問題がある。
【００１１】
本発明は、上記の課題に鑑みてなされたもので、冗長電源システムの動作時に冗長電源システムに含まれる電力供給装置における故障を検査することを主たる目的とする。
【課題を解決するための手段】
【００１２】
本発明の一態様において、冗長電源システムは、入力電力を、出力電圧値を有する直流電力に変換する安定化電源部と、安定化電源部によって変換された直流電力を負荷へ供給すると共に、負荷の側における直流電力の逆流を防止する逆流防止部と、逆流防止部の負荷の側における負荷側電圧値の絶対値が、負荷を動作させるための定格電圧より絶対値が低く且つ負荷を動作させることが可能な所定の参照電圧値の絶対値以下である場合に警報信号を出力するコンパレータと、電圧低下試験の開始信号を受信した際に、安定化電源部に出力電圧値の絶対値を現在の電圧から低下させる電圧低下制御を開始することと、コンパレータによって警報信号が出力された際、又は出力電圧値の絶対値が、負荷を動作させることが不可能な電圧に到達したと見做された際に、電圧低下制御を中止することと、電圧低下制御の最中に警報信号が出力されたか否かを表す電圧低下試験の結果信号を送信することとを行う試験制御手段とを含み、互いに並列に接続された複数台の電力供給装置、及び負荷を動作させるために最低限必要な電力供給装置の全ての組合せにおける各組合せについて、各組合せに含まれない全ての電力供給装置に電圧低下試験の開始信号を送信し、送信した電圧低下試験の開始信号に応じた電圧低下試験の結果信号を、各組合せに含まれない全ての電力供給装置から受信し、受信した電圧低下試験の結果信号に基づいて電圧低下試験の結果を出力する試験実行装置を備える。
【００１３】
本発明の一態様において、電力供給装置は、入力電力を、出力電圧値を有する直流電力に変換する安定化電源部と、安定化電源部によって変換された直流電力を負荷へ供給すると共に、負荷の側における直流電力の逆流を防止する逆流防止部と、逆流防止部の負荷の側における負荷側電圧値の絶対値が、負荷を動作させるための定格電圧より絶対値が低く且つ負荷を動作させることが可能な所定の参照電圧値の絶対値以下である場合に警報信号を出力するコンパレータと、電圧低下試験の開始信号を受信した際に、安定化電源部に出力電圧値の絶対値を現在の電圧から低下させる電圧低下制御を開始することと、コンパレータによって警報信号が出力された際、又は出力電圧値の絶対値が、負荷を動作させることが不可能な電圧に到達したと見做された際に、電圧低下制御を中止することと、電圧低下制御の最中に警報信号が出力されたか否かを表す電圧低下試験の結果信号を送信することとを行う試験制御手段とを備える。
【００１４】
本発明の一態様において、試験実行装置は、入力電力を、出力電圧値を有する直流電力に変換する安定化電源部と、安定化電源部によって変換された直流電力を負荷へ供給すると共に、負荷の側における直流電力の逆流を防止する逆流防止部と、逆流防止部の負荷の側における負荷側電圧値の絶対値が、負荷を動作させるための定格電圧より絶対値が低く且つ負荷を動作させることが可能な所定の参照電圧値の絶対値以下である場合に警報信号を出力するコンパレータと、電圧低下試験の開始信号を受信した際に、安定化電源部に出力電圧値の絶対値を現在の電圧から徐々に  低下させる電圧低下制御を開始することと、コンパレータによって警報信号が出力された際、又は出力電圧値の絶対値が、負荷を動作させることが不可能な電圧に到達したと見做された際に、電圧低下制御を中止することと、電圧低下制御の最中に警報信号が出力されたか否かを表す電圧低下試験の結果信号を送信することとを行う試験制御手段とを含み、互いに並列に接続された複数台の電力供給装置に接続され、負荷を動作させるために最低限必要な電力供給装置の全ての組合せにおける各組合せについて、各組合せに含まれない全ての電力供給装置に電圧低下試験の開始信号を送信し、送信した電圧低下試験の開始信号に応じた電圧低下試験の結果信号を、各組合せに含まれない全ての電力供給装置から受信し、受信した電圧低下試験の結果信号に基づいて電圧低下試験の結果を出力する。
【００１５】
本発明の一態様において、電力供給装置の試験方法は、入力電力を、出力電圧値を有する直流電力に変換する安定化電源部と、安定化電源部によって変換された直流電力を負荷へ供給すると共に、負荷の側における直流電力の逆流を防止する逆流防止部と、逆流防止部の負荷の側における負荷側電圧値の絶対値が、負荷を動作させるための定格電圧より絶対値が低く且つ負荷を動作させることが可能な所定の参照電圧値の絶対値以下である場合に警報信号を出力するコンパレータと、試験制御手段とを含み、互いに並列に接続された複数台の電力供給装置、及び試験実行装置を備えた冗長電源システムにおける電力供給装置の試験方法であって、電力供給装置によって、電圧低下試験の開始信号を受信した際に、安定化電源部に出力電圧値の絶対値を現在の電圧から低下させる電圧低下制御を開始することと、コンパレータによって警報信号が出力された際、又は出力電圧値の絶対値が、負荷を動作させることが不可能な電圧に到達したと見做された際に、電圧低下制御を中止することと、電圧低下制御の最中に警報信号が出力されたか否かを表す電圧低下試験の結果信号を送信することとを行う試験制御手順と、試験実行装置によって、負荷を動作させるために最低限必要な電力供給装置の全ての組合せにおける各組合せについて、各組合せに含まれない全ての電力供給装置に電圧低下試験の開始信号を送信し、送信した電圧低下試験の開始信号に応じた電圧低下試験の結果信号を、各組合せに含まれない全ての電力供給装置から受信し、受信した電圧低下試験の結果信号に基づいて電圧低下試験の結果を出力する。
【００１６】
本発明の一態様において、電力供給装置の試験プログラム又は、係る試験プログラムが格納された非一時的な記憶媒体は、入力電力を、出力電圧値を有する直流電力に変換する安定化電源部と、安定化電源部によって変換された直流電力を負荷へ供給すると共に、負荷の側における直流電力の逆流を防止する逆流防止部と、逆流防止部の負荷の側における負荷側電圧値の絶対値が、負荷を動作させるための定格電圧より絶対値が低く且つ負荷を動作させることが可能な所定の参照電圧値の絶対値以下である場合に警報信号を出力するコンパレータと、試験制御手段とを含み、互いに並列に接続された複数台の電力供給装置、及び試験実行装置を備えた冗長電源システムにおける電力供給装置が備えるコンピュータに、電圧低下試験の開始信号を受信した際に、安定化電源部に出力電圧値の絶対値を現在の電圧から低下させる電圧低下制御を開始することと、コンパレータによって警報信号が出力された際、又は出力電圧値の絶対値が、負荷を動作させることが不可能な電圧に到達したと見做された際に、電圧低下制御を中止することと、電圧低下制御の最中に警報信号が出力されたか否かを表す電圧低下試験の結果信号を送信することとを行う試験制御処理を実行させる。
【００１７】
本発明の一態様において、試験実行装置の試験プログラム又は、係る試験プログラムが格納された非一時的な記憶媒体は、入力電力を、出力電圧値を有する直流電力に変換する安定化電源部と、安定化電源部によって変換された直流電力を負荷へ供給すると共に、負荷の側における直流電力の逆流を防止する逆流防止部と、逆流防止部の負荷の側における負荷側電圧値の絶対値が、負荷を動作させるための定格電圧より絶対値が低く且つ負荷を動作させることが可能な所定の参照電圧値の絶対値以下である場合に警報信号を出力するコンパレータと、試験制御手段とを含み、互いに並列に接続された複数台の電力供給装置、及び試験実行装置を備えた冗長電源システムにおける試験実行装置が備えるコンピュータに、負荷を動作させるために最低限必要な電力供給装置の全ての組合せにおける各組合せについて、各組合せに含まれない全ての電力供給装置に電圧低下試験の開始信号を送信し、送信した電圧低下試験の開始信号に応じた電圧低下試験の結果信号を、各組合せに含まれない全ての電力供給装置から受信し、受信した電圧低下試験の結果信号に基づいて電圧低下試験の結果を出力する処理を実行させる。
【発明の効果】
【００１８】
本発明によれば、冗長電源システムの動作時に冗長電源システムに含まれる電力供給装置における故障を検査できるという効果がある。
【図面の簡単な説明】
【００１９】
【図１】本発明の第１の実施形態における冗長電源システムの構成の一例を示すブロック図である。
【図２】本発明の第１の実施形態における電力供給装置の構成の一例を示すブロック図である。
【図３】本発明の第１の実施形態における電力供給装置の動作を示すフローチャートである。
【図４】電力供給装置における電圧低下試験時に、他の電力供給装置によって負荷側電圧値が維持される場合の動作を説明するグラフである。
【図５】電力供給装置における電圧低下試験時に、他の電力供給装置によって負荷側電圧値が維持されない場合の動作を説明するグラフである。
【図６】本発明の第１の実施形態における試験実行装置の動作を示すフローチャートである。
【図７】本発明の第１の実施形態における冗長電源システムの第１の動作例について説明する表である。
【図８】本発明の第１の実施形態における冗長電源システムの第２の動作例について説明する表である。
【図９】本発明の第１の実施形態における冗長電源システムの第３の動作例について説明する表である。
【図１０】本発明の第２の実施形態における冗長電源システムの構成の一例を示すブロック図である。
【図１１】本発明の第２の実施形態における電力供給装置の構成の一例を示すブロック図である。
【図１２】本発明の第２の実施形態における電力供給装置の第１の構成例を示すブロック図である。
【図１３】本発明の第２の実施形態における電力供給装置の第２の構成例を示すブロック図である。
【図１４】本発明の各実施形態における電力供給装置、試験実行装置、サーバ、又はＢＭＣを実現可能なハードウェア構成の一例を示すブロック図である。
【発明を実施するための形態】
【００２０】
以下、本発明の実施形態について、図面を参照して詳細に説明する。なお、すべての図面において、同等の構成要素には同じ符号を付し、適宜説明を省略する。
（第１の実施形態）
本発明の各実施形態の基本である、本発明の第１の実施形態について説明する。
【００２１】
本実施形態における構成について説明する。
【００２２】
図１は、本発明の第１の実施形態における冗長電源システムの構成の一例を示すブロック図である。
【００２３】
本実施形態の冗長電源システム６００は、複数台の電力供給装置１００と、負荷３００と、試験実行装置５１０とを含む。
【００２４】
複数台の電力供給装置１００は、負荷３００に対して互いに並列に接続される。複数台の電力供給装置１００は、負荷３００に対して冗長構成を成す集中電源である。電力供給装置１００は、例えば、Ａ／Ｄ（ＡＣ／ＤＣ：Alternating Current to Direct Current）コンバータ、又はＤ／Ｄ（ＤＣ／ＤＣ：Direct Current to Direct Current）コンバータである。
【００２５】
負荷３００は、複数台の電力供給装置１００により動作可能な、１台以上の任意の電気装置である。電気装置は、例えば、サーバ、周辺装置、又はＢＭＣ（Baseboard Management Controller）である。
【００２６】
試験実行装置５１０は、電力供給装置１００に電圧低下試験（後述）を実行させる。試験実行装置５１０は、試験実行部５００を含む。試験実行装置５１０は、複数台の電力供給装置１００の何れか１台であってもよい。試験実行装置５１０は、負荷３００に含まれてもよい。
【００２７】
図２は、本発明の第１の実施形態における電力供給装置の構成の一例を示すブロック図である。
【００２８】
電力供給装置１００は、安定化電源部１１０と、逆流防止部１２０と、コンパレータ１４０と、試験制御部１５０とを含む。但し、電力供給装置１００自身（特に、逆流防止部１２０、参照電圧値１３０、試験制御部１５０）は、電力供給装置１００による出力の有無とは独立に動作することとする。
【００２９】
安定化電源部１１０は、入力電力２００を、出力電圧値Ｖｒを有する直流電力に変換する。
【００３０】
逆流防止部１２０は、安定化電源部１１０によって変換された直流電力を負荷３００へ供給すると共に、電力供給装置１００の負荷３００側における直流電力の逆流を防止する。
【００３１】
コンパレータ１４０は、逆流防止部１２０の負荷３００側における負荷側電圧値Ｖｏｕｔの絶対値が、所定の参照電圧値１３０（Ｖｒｅｆ）の絶対値以下である場合に警報信号Ｖａｌａｒｍを出力する。参照電圧値Ｖｒｅｆは、負荷３００を動作させるための定格電圧より絶対値が低く、且つ負荷３００を動作させることが可能な電圧である。ここで、参照電圧値Ｖｒｅｆは、負荷３００を動作させることが可能な最低電圧値に所定のマージンが加算された電圧値であってよい。
【００３２】
試験制御部１５０は、試験実行装置５１０からの試験制御信号、及びコンパレータ１４０からの警報信号Ｖａｌａｒｍに基づいて、安定化電源部１１０を制御する。試験制御部１５０は、
I）電圧低下試験の開始信号を受信した際に、安定化電源部１１０に出力電圧値Ｖｒの絶対値を現在の電圧から低下させる電圧低下制御を開始することと、
II）コンパレータ１４０によって警報信号Ｖａｌａｒｍが出力された際、又は出力電圧値Ｖｒの絶対値が、負荷３００を動作させることが不可能な電圧に到達したと見做された際に、電圧低下制御を中止することと、
III）電圧低下制御の最中に警報信号Ｖａｌａｒｍが出力された（電圧低下試験が失敗した）か否かを表す電圧低下試験の結果信号を送信することと
を行う。尚、上記I）において、出力電圧値Ｖｒの絶対値は、上記II）において電圧低下制御が中止された場合であっても、電圧低下制御の中止が実際に効果を発揮するまでの間に負荷３００が正常に動作可能な範囲内で徐々に低下させられることとする。
【００３３】
試験実行部５００は、
IV）負荷３００を動作させるために最低限必要な電力供給装置１００の全ての組合せにおける各組合せについて、
i）各組合せに含まれない全ての電力供給装置１００に電圧低下試験の開始信号を送信し、
ii）送信した電圧低下試験の開始信号に応じた電圧低下試験の結果信号を、各組合せに含まれない全ての電力供給装置１００から受信し、
V）受信した電圧低下試験の結果信号に基づいて電圧低下試験の結果を出力する。
【００３４】
本実施形態における動作について説明する。
【００３５】
図３は、本発明の第１の実施形態における電力供給装置の動作を示すフローチャートである。尚、図３に示すフローチャート及び以下の説明は一例であり、適宜求める処理に応じて、処理順等を入れ替えたり、処理を戻したり、処理を繰り返したり、又は途中で処理を中止してもよい。
【００３６】
まず、電力供給装置１００は、電圧低下試験の開始信号を受信する（ステップＳ１１０）。
【００３７】
次に、電力供給装置１００は、安定化電源部１１０に対して出力電圧値Ｖｒの絶対値を現在の電圧から低下させる電圧低下制御を開始する（ステップＳ１２０）。
【００３８】
続いて、電力供給装置１００は、コンパレータ１４０によって警報信号Ｖａｌａｒｍが出力されたか否かを判定する（ステップＳ１３０）。電力供給装置１００は、コンパレータ１４０によって警報信号Ｖａｌａｒｍが出力されていれば（ステップＳ１３０：Ｙｅｓ）、ステップＳ１５０へ処理を進める。電力供給装置１００は、コンパレータ１４０によって警報信号Ｖａｌａｒｍが出力されていなければ（ステップＳ１３０：Ｎｏ）、ステップＳ１４０へ処理を進める。
【００３９】
続いて、電力供給装置１００は、出力電圧値Ｖｒの絶対値が、負荷３００を動作させることが不可能な電圧に到達したと見做されるか否かを判定する（ステップＳ１４０）。電力供給装置１００は、出力電圧値Ｖｒの絶対値が、負荷３００を動作させることが不可能な電圧に到達したと見做されるならば（ステップＳ１４０：Ｙｅｓ）、ステップＳ１５０へ処理を進める。電力供給装置１００は、出力電圧値Ｖｒの絶対値が、負荷３００を動作させることが不可能な電圧に到達していないと見做されるならば（ステップＳ１４０：Ｎｏ）、ステップＳ１３０へ処理を戻す。
【００４０】
続いて、電力供給装置１００は、電圧低下制御を中止する（ステップＳ１５０）。その結果、出力電圧値Ｖｒは電圧低下試験の開始前の電圧値に回復する。
【００４１】
続いて、電力供給装置１００は、電圧低下制御の最中に警報信号Ｖａｌａｒｍが出力された（電圧低下試験が失敗した）か否かを表す電圧低下試験の結果信号を、試験実行装置５１０へ送信する。
【００４２】
図４は、電力供給装置における電圧低下試験時に、他の電力供給装置によって負荷側電圧値が維持される場合の動作を説明するグラフである。
【００４３】
図４に示すように、ある電力供給装置１００は、時刻ｔ１において、電圧低下試験を開始しているので、出力電圧値Ｖｒが徐々に低下している。
【００４４】
図４に示すように、当該電力供給装置１００における電圧低下試験時に、他の電力供給装置１００によって負荷側電圧値Ｖｏｕｔが維持されるので、時刻ｔ２を経過しても、警報信号Ｖａｌａｒｍは出力されない。
【００４５】
図４に示すように、当該電力供給装置１００における電圧低下試験時に、他の電力供給装置１００によって負荷側電圧値Ｖｏｕｔが維持されるので、出力電圧値Ｖｒがほぼ０になることが想定される時刻ｔ３においても、警報信号Ｖａｌａｒｍは出力されない。
【００４６】
図５は、電力供給装置における電圧低下試験時に、他の電力供給装置によって負荷側電圧値が維持されない場合の動作を説明するグラフである。
【００４７】
図５に示すように、ある電力供給装置１００は、時刻ｔ１において、電圧低下試験を開始しているので、負荷側電圧値Ｖｏｕｔと出力電圧値Ｖｒとは共に、徐々に低下している。
【００４８】
図５に示すように、当該電力供給装置１００における電圧低下試験時に、他の電力供給装置１００によって負荷側電圧値Ｖｏｕｔが維持されないので、時刻ｔ２において負荷側電圧値Ｖｏｕｔが参照電圧値Ｖｒｅｆ超えて、警報信号Ｖａｌａｒｍが出力される。
【００４９】
図５に示すように、警報信号Ｖａｌａｒｍが出力されると、電圧低下試験が中止されるので、時刻ｔ４において、負荷側電圧値Ｖｏｕｔと出力電圧値Ｖｒとは共に、電圧低下試験前の電圧に戻る。ここで、警報信号Ｖａｌａｒｍが出力されてから電圧低下試験が中止されるまでに要する時間が無視できない場合には、参照電圧値Ｖｒｅｆを所定のマージンを含む電圧値に設定すればよい。
【００５０】
図６は、本発明の第１の実施形態における試験実行装置の動作を示すフローチャートである。尚、図６に示すフローチャート及び以下の説明は一例であり、適宜求める処理に応じて、処理順等を入れ替えたり、処理を戻したり、処理を繰り返したり、又は途中で処理を中止してもよい。
【００５１】
まず、試験実行装置５１０は、電力供給装置１００の冗長構成に関する情報を取得する（ステップＳ２１０）。ここで、冗長構成に関する情報は、例えば、冗長電源システム６００において電力供給装置１００がｎ＋ｍ冗長電源を構成することとｎ＋ｍ冗長電源におけるパラメータ（ｎ及びｍ）、各電力供給装置１００へ電圧低下試験の開始信号等を送信する際の宛先（アドレス）等を含む。尚、各電力供給装置１００は、供給可能電力が互いに異なってもよい。
【００５２】
次に、試験実行装置５１０は、負荷３００を動作させるために最低限必要な電力供給装置１００に関する各組合せについて、以下のステップＳ２５０の直前までの手順を実行する（ステップＳ２２０）。ここで、各組合せとは、例えば、冗長電源システム６００において電力供給装置１００がｎ＋ｍ冗長電源を構成する場合における、ｎ台の電力供給装置１００に関する全ての組合せのうちの何れかである。
【００５３】
続いて、試験実行装置５１０は、当該各組合せに含まれない全ての電力供給装置１００に電圧低下試験の開始信号を送信する（ステップＳ２３０）。
【００５４】
続いて、試験実行装置５１０は、当該各組合せに含まれない全ての電力供給装置１００から電圧低下試験の結果信号を受信する（ステップＳ２４０）。ここで、結果信号は、当該電圧低下試験において、警報信号Ｖａｌａｒｍが出力された場合には失敗（ＮＧ）、警報信号Ｖａｌａｒｍが出力されなかった場合には成功（ＯＫ）であることとする。
【００５５】
ステップＳ２２０における全ての組合せについて、ステップＳ２２０乃至ステップＳ２５０の直前までの手順が終了すると、試験実行装置５１０は、受信した電圧低下試験の結果信号に基づいて、電圧低下試験の結果を出力する。ここで、電圧低下試験の結果は、何れかの電圧低下試験において警報信号Ｖａｌａｒｍが出力された場合には失敗（ＮＧ）、何れの電圧低下試験においても警報信号Ｖａｌａｒｍが出力されなかった場合には成功（ＯＫ）であることとする。又、電圧低下試験の結果は、正常な（故障していない）電力供給装置１００を識別する情報を含んでもよい。
【００５６】
以上説明したように、冗長電源システム６００は、負荷３００を動作させるために最低限必要な電力供給装置１００の全ての組合せにおける各組合せについて、各組合せに含まれない全ての電力供給装置１００において出力電圧値Ｖｒの絶対値を現在の電圧から徐々に低下させる電圧低下試験を開始する。そして、冗長電源システム６００は、負荷側電圧値Ｖｏｕｔの絶対値が所定の参照電圧値Ｖｒｅｆの絶対値以下になった場合には、開始された電圧低下試験を中止する。ここで、参照電圧値Ｖｒｅｆは、負荷３００を動作させるための定格電圧より絶対値が低く、且つ負荷３００を動作させることが可能な電圧であるので、負荷３００は動作を継続できる。そして、負荷側電圧値Ｖｏｕｔの絶対値が所定の参照電圧値Ｖｒｅｆの絶対値以下になった場合には、冗長電源システム６００は、その電圧低下試験において出力電圧値Ｖｒの絶対値が低下させられた何れかの電力供給装置１００が故障していることを判定する。ここで、検出可能な故障は、上述した部分故障を含み得る。一方、負荷側電圧値Ｖｏｕｔの絶対値が所定の参照電圧値Ｖｒｅｆの絶対値以下にならなかった場合には、冗長電源システム６００は、その電圧低下試験において出力電圧値Ｖｒの絶対値が低下させられなかった電力供給装置１００が故障していないことを判定する。
【００５７】
続いて、冗長電源システム６００の第１の動作例について説明する。
【００５８】
図７は、本発明の第１の実施形態における冗長電源システムの第１の動作例について説明する表である。ここで、冗長電源システム６００は４台の電力供給装置１００（Ｐ１、Ｐ２、Ｐ３、Ｐ４）を含み、電力供給装置１００は３＋１冗長電源を構成することとする。図７において、第１列は各電圧低下試験が実行されるタイミングを、第２列乃至第５列は各電圧低下試験において各電力供給装置１００（Ｐ１、Ｐ２、Ｐ３、Ｐ４）が電圧降下させられる（Ｙｅｓ）か否（Ｎｏ）かを示す。又、図７において、第６列は一連の電圧低下試験が失敗（ＮＧ）したか否かを、第７列は電圧低下試験の結果、正常であることが確認された電力供給装置１００を示す。
【００５９】
電力供給装置１００は３＋１冗長電源を構成するので、負荷３００を動作させるために最低限必要な電力供給装置１００に関する組合せは、任意の３台の組合せである。
【００６０】
タイミングＴ１では、電力供給装置Ｐ１が電圧降下させられ、他の電力供給装置Ｐ２、Ｐ３、Ｐ４は電圧降下させられない。このとき、警報信号Ｖａｌａｒｍは出力されなかった。従って、電力供給装置Ｐ２、Ｐ３、Ｐ４は正常である。
【００６１】
タイミングＴ２では、電力供給装置Ｐ２が電圧降下させられ、他の電力供給装置Ｐ１、Ｐ３、Ｐ４は電圧降下させられない。このとき、警報信号Ｖａｌａｒｍが出力された。従って、電力供給装置Ｐ１、Ｐ３、Ｐ４の何れかが故障している。
【００６２】
タイミングＴ３では、電力供給装置Ｐ３が電圧降下させられ、他の電力供給装置Ｐ１、Ｐ２、Ｐ４は電圧降下させられない。このとき、警報信号Ｖａｌａｒｍが出力された。従って、電力供給装置Ｐ１、Ｐ２、Ｐ４の何れかが故障している。
【００６３】
タイミングＴ４では、電力供給装置Ｐ４が電圧降下させられ、他の電力供給装置Ｐ１、Ｐ２、Ｐ３は電圧降下させられない。このとき、警報信号Ｖａｌａｒｍが出力された。従って、電力供給装置Ｐ１、Ｐ２、Ｐ３の何れかが故障している。
【００６４】
タイミングＴ１乃至Ｔ４の電圧降下試験の結果、電力供給装置Ｐ１が故障しており、電力供給装置Ｐ２、Ｐ３、Ｐ４は正常であることが出力される。
【００６５】
続いて、冗長電源システム６００の第２の動作例について説明する。
【００６６】
図８は、本発明の第１の実施形態における冗長電源システムの第２の動作例について説明する表である。ここで、冗長電源システム６００は４台の電力供給装置１００（Ｐ１、Ｐ２、Ｐ３、Ｐ４）を含み、電力供給装置１００は２＋２冗長電源を構成することとする。図８において、第１列は各電圧低下試験が実行されるタイミングを、第２列乃至第５列は各電圧低下試験において各電力供給装置１００（Ｐ１、Ｐ２、Ｐ３、Ｐ４）が電圧降下させられる（Ｙｅｓ）か否（Ｎｏ）かを示す。又、図８において、第６列は一連の電圧低下試験が失敗（ＮＧ）したか否かを、第７列は電圧低下試験の結果、正常であることが確認された電力供給装置１００を示す。
【００６７】
電力供給装置１００は２＋２冗長電源を構成するので、負荷３００を動作させるために最低限必要な電力供給装置１００に関する組合せは、任意の２台の組合せである。
【００６８】
タイミングＴ１では、電力供給装置Ｐ１、Ｐ２が電圧降下させられ、他の電力供給装置Ｐ３、Ｐ４は電圧降下させられない。このとき、警報信号Ｖａｌａｒｍは出力されなかった。従って、電力供給装置Ｐ３、Ｐ４は正常である。
【００６９】
タイミングＴ２では、電力供給装置Ｐ２、Ｐ３が電圧降下させられ、他の電力供給装置Ｐ１、Ｐ４は電圧降下させられない。このとき、警報信号Ｖａｌａｒｍが出力された。従って、電力供給装置Ｐ１、Ｐ４の何れかが故障している。
【００７０】
タイミングＴ３では、電力供給装置Ｐ３、Ｐ４が電圧降下させられ、他の電力供給装置Ｐ１、Ｐ２は電圧降下させられない。このとき、警報信号Ｖａｌａｒｍが出力された。従って、電力供給装置Ｐ１、Ｐ２の何れかが故障している。
【００７１】
タイミングＴ４では、電力供給装置Ｐ１、Ｐ４が電圧降下させられ、他の電力供給装置Ｐ２、Ｐ３は電圧降下させられない。このとき、警報信号Ｖａｌａｒｍが出力された。従って、電力供給装置Ｐ２、Ｐ３の何れかが故障している。
【００７２】
タイミングＴ５では、電力供給装置Ｐ２、Ｐ４が電圧降下させられ、他の電力供給装置Ｐ１、Ｐ３は電圧降下させられない。このとき、警報信号Ｖａｌａｒｍが出力された。従って、電力供給装置Ｐ１、Ｐ３の何れかが故障している。
【００７３】
タイミングＴ６では、電力供給装置Ｐ１、Ｐ３が電圧降下させられ、他の電力供給装置Ｐ２、Ｐ４は電圧降下させられない。このとき、警報信号Ｖａｌａｒｍが出力された。従って、電力供給装置Ｐ２、Ｐ４の何れかが故障している。
【００７４】
タイミングＴ１乃至Ｔ６の電圧降下試験の結果、電力供給装置Ｐ１、Ｐ２が故障しており、電力供給装置Ｐ３、Ｐ４は正常であることが出力される。
【００７５】
続いて、冗長電源システム６００の第３の動作例について説明する。
【００７６】
図９は、本発明の第１の実施形態における冗長電源システムの第３の動作例について説明する表である。ここで、冗長電源システム６００は４台の電力供給装置１００（Ｐ１、Ｐ２、Ｐ３、Ｐ４）を含み、電力供給装置１００は２＋２冗長電源を構成することとする。図９において、第１列は各電圧低下試験が実行されるタイミングを、第２列乃至第５列は各電圧低下試験において各電力供給装置１００（Ｐ１、Ｐ２、Ｐ３、Ｐ４）が電圧降下させられる（Ｙｅｓ）か否（Ｎｏ）かを示す。又、図９において、第６列は一連の電圧低下試験が失敗（ＮＧ）したか否かを、第７列は電圧低下試験の結果、正常であることが確認された電力供給装置１００を示す。
【００７７】
電力供給装置１００は２＋２冗長電源を構成するので、負荷３００を動作させるために最低限必要な電力供給装置１００に関する組合せは、任意の２台の組合せである。
【００７８】
タイミングＴ１では、電力供給装置Ｐ１、Ｐ２が電圧降下させられ、他の電力供給装置Ｐ３、Ｐ４は電圧降下させられない。このとき、警報信号Ｖａｌａｒｍは出力されなかった。従って、電力供給装置Ｐ３、Ｐ４は正常である。
【００７９】
タイミングＴ２では、電力供給装置Ｐ２、Ｐ３が電圧降下させられ、他の電力供給装置Ｐ１、Ｐ４は電圧降下させられない。このとき、警報信号Ｖａｌａｒｍが出力された。従って、電力供給装置Ｐ１、Ｐ４の何れかが故障している。
【００８０】
タイミングＴ３では、電力供給装置Ｐ３、Ｐ４が電圧降下させられ、他の電力供給装置Ｐ１、Ｐ２は電圧降下させられない。このとき、警報信号Ｖａｌａｒｍが出力された。従って、電力供給装置Ｐ１、Ｐ２の何れかが故障している。
【００８１】
タイミングＴ４では、電力供給装置Ｐ１、Ｐ４が電圧降下させられ、他の電力供給装置Ｐ２、Ｐ３は電圧降下させられない。このとき、警報信号Ｖａｌａｒｍが出力されなかった。従って、電力供給装置Ｐ２、Ｐ３は正常である。
【００８２】
タイミングＴ５では、電力供給装置Ｐ２、Ｐ４が電圧降下させられ、他の電力供給装置Ｐ１、Ｐ３は電圧降下させられない。このとき、警報信号Ｖａｌａｒｍが出力された。従って、電力供給装置Ｐ１、Ｐ３の何れかが故障している。
【００８３】
タイミングＴ６では、電力供給装置Ｐ１、Ｐ３が電圧降下させられ、他の電力供給装置Ｐ２、Ｐ４は電圧降下させられない。このとき、警報信号Ｖａｌａｒｍが出力されなかった。従って、電力供給装置Ｐ２、Ｐ４は正常である。
【００８４】
タイミングＴ１乃至Ｔ６の電圧降下試験の結果、電力供給装置Ｐ１が故障しており、電力供給装置Ｐ２、Ｐ３、Ｐ４は正常であることが出力される。
【００８５】
以上説明したように、本実施形態の冗長電源システム６００は、負荷３００を動作させるために最低限必要な電力供給装置１００の全ての組合せにおける各組合せについて、各組合せに含まれない全ての電力供給装置１００において出力電圧値Ｖｒの絶対値を現在の電圧から低下させる電圧低下試験を開始する。そして、冗長電源システム６００は、負荷側電圧値Ｖｏｕｔの絶対値が所定の参照電圧値Ｖｒｅｆの絶対値以下になった場合には、開始された電圧低下試験を中止する。ここで、参照電圧値Ｖｒｅｆは、負荷３００を動作させるための定格電圧より絶対値が低く、且つ負荷３００を動作させることが可能な電圧であるので、負荷３００は動作を継続できる。そして、負荷側電圧値Ｖｏｕｔの絶対値が所定の参照電圧値Ｖｒｅｆの絶対値以下になった場合には、冗長電源システム６００は、その電圧低下試験において出力電圧値Ｖｒの絶対値が低下させられた何れかの電力供給装置１００が故障していることを判定する。一方、負荷側電圧値Ｖｏｕｔの絶対値が所定の参照電圧値Ｖｒｅｆの絶対値以下にならなかった場合には、冗長電源システム６００は、その電圧低下試験において出力電圧値Ｖｒの絶対値が低下させられなかった電力供給装置１００が故障していないことを判定する。従って、本実施形態の冗長電源システム６００には、冗長電源システムの動作時に冗長電源システムに含まれる電力供給装置における故障を検査できるという効果がある。
（第２の実施形態）
次に、本発明の第１の実施形態を基本とする、本発明の第２の実施形態について説明する。本実施形態における冗長電源システムでは、電圧低下試験に加えて、出力停止試験も実行される。又、試験実行装置はＢＭＣであり、負荷はＢＭＣとサーバを含み、入力電力は交流である。又、本実施形態では電力供給装置の内部構成及び動作についてより詳細に述べる。
【００８６】
本実施形態における構成について説明する。
【００８７】
図１０は、本発明の第２の実施形態における冗長電源システムの構成の一例を示すブロック図である。
【００８８】
本実施形態の冗長電源システム６０５は、複数台の電力供給装置１０５と、負荷３０５とを含む。
【００８９】
複数台の電力供給装置１０５は、負荷３０５に対して互いに並列に接続される。複数台の電力供給装置１０５は、負荷３０５に対して冗長構成（例えば、ｎ＋ｍ冗長構成）を成す集中電源である。
【００９０】
負荷３０５は、複数台の電力供給装置１０５により動作可能な、１台のＢＭＣ５１５と、１台以上のサーバ４１０とを含む。
【００９１】
ＢＭＣ５１５は、電力供給装置１０５に電圧低下試験を実行させる。電力供給装置１０５と、ＢＭＣ５１５と、サーバ４１０とは、ＩＰＭＩ規格（Intelligent Platform Management Interface規格）に準拠して互いに接続されている。ここで、ＩＰＭＩ規格は、電圧低下試験の開始信号、及び電圧低下試験の結果信号等を送受信可能に拡張されている。
【００９２】
ＢＭＣ５１５は、試験実行部５０５を含む。
【００９３】
試験実行部５０５は、例えば、ある電力供給装置１０５のアドレスＡを指定して、電圧低下試験の開始コマンド“Ｄ０ｈ”（１６進数表記）を表す制御信号を送信する。そして、試験実行部５０５は、その電力供給装置１０５のアドレスＡを指定して、電圧低下試験の結果取得コマンド“Ｄ１ｈ”（１６進数表記）を表す制御信号を送信する。そして、その電力供給装置１０５は、試験実行部５０５へ、電圧低下試験が成功したことを表す応答“０ｂ”（２進数表記）又は電圧低下試験が失敗したことを表す応答“１ｂ”（２進数表記）を送信する。
【００９４】
図１１は、本発明の第２の実施形態における電力供給装置の構成の一例を示すブロック図である。
【００９５】
電力供給装置１０５は、Ａ／Ｄ変換部１１５と、Ｏｒｉｎｇ−ＦＥＴ１２５と、Ｏｒｉｎｇ制御部１２６と、コンパレータ１４０と、ＭＣＵ（Micro Controller Unit）１５６とを含む。
【００９６】
Ａ／Ｄ変換部１１５は、入力電力２００（ここでは、交流電力）を、出力電圧値Ｖｒを有する直流電力に変換する。
【００９７】
Ｏｒｉｎｇ−ＦＥＴ１２５と、Ｏｒｉｎｇ制御部１２６とは、Ａ／Ｄ変換部１１５によって変換された直流電力を負荷３０５へ供給すると共に、電力供給装置１０５の負荷３０５側における直流電力の逆流を防止する。
【００９８】
ＭＣＵ１５６は、試験制御部１５５を含む。ＭＣＵ１５６は、例えば、マイクロプロセッサである。尚、ＭＣＵ１５６は、複数のマイクロプロセッサを含んでもよい。
【００９９】
試験制御部１５５は、ＢＭＣ５１５からの試験制御信号、及びコンパレータ１４０からの警報信号Ｖａｌａｒｍに基づいて、Ａ／Ｄ変換部１１５を制御する。
【０１００】
試験制御部１５５は、本発明の第１の実施形態における試験制御部１５０の機能を含む。
【０１０１】
試験制御部１５５は、入力電力２００を遮断するか、又は出力電圧値Ｖｒの絶対値を、負荷３０５を動作させることが不可能な電圧の絶対値に比べて十分低い電圧値にする出力停止試験も実行可能である。
【０１０２】
試験実行部５０５は、本発明の第１の実施形態における試験実行部５００の機能を含む。
【０１０３】
試験実行部５０５は、電圧低下試験が成功した場合に、出力停止試験を実行する。ここで、試験実行部５０５は、各電圧低下試験の成功後に、当該各電圧低下試験に対応する出力停止試験を実行する。又は、試験実行部５０５は、全ての電圧低下試験の実行後に、成功した各電圧低下試験に対応する出力停止試験をまとめて実行してもよい。試験実行部５０５の一部の機能は、サーバ４１０上の試験ツール４００として実装されてもよい。
【０１０４】
本実施形態におけるその他の構成は、本発明の第１の実施形態における構成と同じである。
【０１０５】
本実施形態における電力供給装置の構成例について説明する。
【０１０６】
図１２は、本発明の第２の実施形態における電力供給装置の第１の構成例を示すブロック図である。
【０１０７】
本構成例における電力供給装置１０７では、Ａ／Ｄ変換部１１５は、ＡＣスイッチ１９０と、ＥＭＩフィルタ（Electro Magnetic Interferenceフィルタ）１８０と、ブリッジダイオード１７０と、ＰＦＣ部（Power Factor Correction部）１６０と、Ｄ／Ｄ変換部１１７とを含む。
【０１０８】
ＡＣスイッチ１９０は、電力供給装置１０７に対する入力電力２００の入力の有無を切り替える。
【０１０９】
ＥＭＩフィルタ１８０は、電磁妨害を解消するためのフィルタ回路である。
【０１１０】
ブリッジダイオード１７０は、電流を正か負のどちらか一方にのみ流れるようにする整流回路（ダイオードブリッジ）である。
【０１１１】
ＰＦＣ部１６０は、電源の力率を１に近づけるための回路（力率改善回路）である。
【０１１２】
Ｄ／Ｄ変換部１１７は、入力された直流電力を所定の電圧を有する直流電力に変換する。尚、Ｄ／Ｄ変換部１１７の後段には、平滑回路（Ｒｅｃｔｉｆｉｅｒ）が挿入されてもよい。
【０１１３】
電力供給装置１０７では、ＭＣＵ１５６は、１次ＭＣＵ１５７と、２次ＭＣＵ１５８とを含む。１次ＭＣＵ１５７と、２次ＭＣＵ１５８とは、電力供給装置１０７の入力側と出力側とを電気的に絶縁するために分離されており、光信号を用いて互いに通信を行う。ここでは、２次ＭＣＵ１５８が、コンパレータ１４０からの警報信号Ｖａｌａｒｍを受信し、１次ＭＣＵ１５７に伝達することとする。そして、他のＭＣＵ１５６を機能は、１次ＭＣＵ１５７が有することとする。但し、本機能分担は一例に過ぎず、他の機能分担が成されてもよい。
【０１１４】
１次ＭＣＵ１５７は、電圧低下試験の際に出力電圧値Ｖｒの絶対値を低下させるようにＤ／Ｄ変換部１１７を制御する（Ｓｌｏｗ＿ｄｏｗｎ信号）。又、１次ＭＣＵ１５７は、出力停止試験の際に入力電力２００を遮断させるようにＡＣスイッチ１９０を制御する（ＡＣ＿ＯＮ／ＯＦＦ信号）。
【０１１５】
図１３は、本発明の第２の実施形態における電力供給装置の第２の構成例を示すブロック図である。
【０１１６】
本構成例における電力供給装置１０９では、Ａ／Ｄ変換部１１５は、ＥＭＩフィルタ１８０と、ブリッジダイオード１７０と、ＰＦＣ制御部１６８と、ＰＦＣ−ＦＥＴ１６９と、リアクタンス１６５と、ダイオード１６６と、コンデンサ１６７と、Ｄ／Ｄ変換部１１７とを含む。
【０１１７】
ＰＦＣ制御部１６８と、ＰＦＣ−ＦＥＴ１６９とは、力率改善回路である。
【０１１８】
リアクタンス１６５と、ダイオード１６６と、コンデンサ１６７とは、昇圧回路を構成し、可変である入力電圧（例えば、１００乃至２４０ボルト）を、入力電圧によらず一定の電圧（例えば、４００ボルト）に昇圧する。
【０１１９】
電力供給装置１０９では、ＭＣＵ１５６は、１次ＭＣＵ１５９と、２次ＭＣＵ１５８とを含む。
【０１２０】
１次ＭＣＵ１５９は、電圧低下試験の際に出力電圧値Ｖｒの絶対値を低下させるようにＤ／Ｄ変換部１１７を制御する（Ｆｅｅｄｂａｃｋ信号）。又、１次ＭＣＵ１５７は、出力停止試験の際に、ＰＦＣ制御部１６８の動作を停止させる（出力電圧値Ｖｒの絶対値を、負荷３０５を動作させることが不可能な電圧の絶対値に比べて十分低い電圧値にする）ようにＰＦＣ制御部１６８を制御する（ＰＦＣ＿ＯＮ／ＯＦＦ信号）。ここで、ＰＦＣ制御部１６８の多くの実装において、ＰＦＣ制御部１６８を停止することは、出力電圧値Ｖｒの絶対値を、負荷３０５を動作させることが不可能な電圧の絶対値に比べて十分低い電圧値にすることを引き起こす。
【０１２１】
本構成例は、ハードウェア上の理由により、電力供給装置１０５にＡＣスイッチ１９０を追加することが困難な場合であっても、電力供給装置１０７に相当する機能をソフトウェアにより実現できる。
【０１２２】
本構成例におけるその他の構成は、第１の構成例と同じである。
【０１２３】
本実施形態における動作について説明する。
【０１２４】
電圧低下試験に関し、本実施形態に動作は、本発明の第１の実施形態における動作と同じである。
【０１２５】
冗長電源システム６０５は、電圧低下試験が成功した場合に、出力停止試験を実行する。出力停止試験において、試験対象である電力供給装置１０５は、電気的に完全に停止するか、又は電気的にほぼ完全に停止する。そして、出力停止試験が終了すれば、試験対象である電力供給装置１０５は、再び動作する。つまり、出力停止試験は、物理的な挿抜を除いて電力供給装置１０５の活線挿抜に相当する。
【０１２６】
本実施形態におけるその他の動作は、本発明の第１の実施形態における動作と同じである。
【０１２７】
以上説明したように、本実施形態の冗長電源システム６０５は、負荷３０５を動作させるために最低限必要な電力供給装置１０５の全ての組合せにおける各組合せについて、各組合せに含まれない全ての電力供給装置１０５において出力電圧値Ｖｒの絶対値を現在の電圧から低下させる電圧低下試験を開始する。そして、冗長電源システム６０５は、負荷側電圧値Ｖｏｕｔの絶対値が所定の参照電圧値Ｖｒｅｆの絶対値以下になった場合には、開始された電圧低下試験を中止する。ここで、参照電圧値Ｖｒｅｆは、負荷３０５を動作させるための定格電圧より絶対値が低く、且つ負荷３０５を動作させることが可能な電圧であるので、負荷３０５は動作を継続できる。そして、負荷側電圧値Ｖｏｕｔの絶対値が所定の参照電圧値Ｖｒｅｆの絶対値以下になった場合には、冗長電源システム６０５は、その電圧低下試験において出力電圧値Ｖｒの絶対値が低下させられた何れかの電力供給装置１０５が故障していることを判定する。一方、負荷側電圧値Ｖｏｕｔの絶対値が所定の参照電圧値Ｖｒｅｆの絶対値以下にならなかった場合には、冗長電源システム６０５は、その電圧低下試験において出力電圧値Ｖｒの絶対値が低下させられなかった電力供給装置１０５が故障していないことを判定する。従って、本実施形態の冗長電源システム６０５には、冗長電源システムの動作時に冗長電源システムに含まれる電力供給装置における故障を検査できるという効果がある。
【０１２８】
又、本実施形態の冗長電源システム６０５は、電圧低下試験が成功した場合に、出力停止試験を実行する。そして、出力停止試験は、物理的な挿抜を除いて電力供給装置１０５の活線挿抜に相当する。従って、本実施形態の冗長電源システム６０５には、冗長電源システムの動作時に、物理的な挿抜を除いて冗長電源システムに含まれる電力供給装置の活線挿抜に相当する検査を実行できるという効果がある。
【０１２９】
図１４は、本発明の各実施形態における電力供給装置、試験実行装置、サーバ、又はＢＭＣを実現可能なハードウェア構成の一例を示すブロック図である。
【０１３０】
電力供給装置（、試験実行装置、サーバ、又はＢＭＣ）９０７は、記憶装置９０２と、ＣＰＵ（Central Processing Unit）９０３と、キーボード９０４と、モニタ９０５と、Ｉ／Ｏ（Input/Output）装置９０８とを備え、これらが内部バス９０６によって接続されている。記憶装置９０２は、試験制御部１５０、１５５、試験実行部５００、５０５、試験ツール４００等のＣＰＵ９０３の動作プログラムを格納する。ＣＰＵ９０３は、電力供給装置（、試験実行装置、サーバ、又はＢＭＣ）９０７の全体を制御し、記憶装置９０２に格納された動作プログラムを実行し、Ｉ／Ｏ装置９０８によって試験制御部１５０、１５５、試験実行部５００、５０５、試験ツール４００等のプログラムの実行やデータの送受信を行なう。尚、上記の電力供給装置（、試験実行装置、サーバ、又はＢＭＣ）９０７の内部構成は一例である。電力供給装置（、試験実行装置、サーバ、又はＢＭＣ）９０７は、必要に応じて、キーボード９０４、モニタ９０５を接続する装置構成であってもよい。
【０１３１】
上述した本発明の各実施形態における電力供給装置（、試験実行装置、サーバ、又はＢＭＣ）９０７は、専用の装置によって実現してもよいが、Ｉ／Ｏ装置９０８が外部との通信を実行するハードウェアの動作以外は、コンピュータ（情報処理装置）によっても実現可能である。本発明の各実施形態において、Ｉ／Ｏ装置９０８は、例えば、電力供給装置（、試験実行装置、サーバ、又はＢＭＣ）９０７等との入出力部である。この場合、係るコンピュータは、記憶装置９０２に格納されたソフトウェア・プログラムをＣＰＵ９０３に読み出し、読み出したソフトウェア・プログラムをＣＰＵ９０３において実行する。上述した各実施形態の場合、係るソフトウェア・プログラムには、上述したところの、図１、図２、図１０、及び図１１に示した、電力供給装置９０７又は試験実行装置９０７の各部の機能を実現可能な記述がなされていればよい。但し、これらの各部には、適宜ハードウェアを含むことも想定される。そして、このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【０１３２】
以上、本発明を、上述した各実施形態およびその変形例によって例示的に説明した。しかしながら、本発明の技術的範囲は、上述した各実施形態およびその変形例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【０１３３】
上記の実施形態の一部又は全部は、以下の付記のようにも記載されうるが、以下には限られない。
（付記１）
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手段と
を含み、互いに並列に接続された複数台の電力供給装置、及び
前記負荷を動作させるために最低限必要な前記電力供給装置の全ての組合せにおける各組合せについて、前記各組合せに含まれない全ての前記電力供給装置に前記電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する
試験実行装置
を備えた冗長電源システム。
（付記２）
前記冗長電源システムが前記負荷及び前記電力供給装置に関してｎ＋ｍ冗長構成（ｎ及びｍは自然数）を成す場合に、前記試験実行装置は、前記負荷を動作させるために最低限必要な前記電力供給装置の台数を前記ｎにする
付記１に記載の冗長電源システム。
（付記３）
前記試験制御手段は、前記入力電力を遮断するか、又は前記出力電圧値の絶対値を、前記負荷を動作させることが不可能な電圧の絶対値に比べて十分低い電圧値にする出力停止試験を実行可能な
付記１又は２に記載の冗長電源システム。
（付記４）
前記試験実行装置は、前記警報信号が出力されなかった場合に、前記出力停止試験を実行する
付記３に記載の冗長電源システム。
（付記５）
前記試験制御手段は、前記安定化電源部に前記出力電圧値の絶対値を、前記電圧低下制御を中止した場合であっても、前記電圧低下制御の中止が実際に効果を発揮するまでの間に前記負荷が正常に動作可能な範囲内で徐々に低下させる
付記１乃至４の何れか１項に記載の冗長電源システム。
（付記６）
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手段と
を備えた電力供給装置。
（付記７）
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
電圧低下試験の開始信号を受信した際に、前記安定化電源部に前記出力電圧値の絶対値を現在の電圧から徐々に  低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手段と
を含み、互いに並列に接続された複数台の電力供給装置に接続され、
前記負荷を動作させるために最低限必要な前記電力供給装置の全ての組合せにおける各組合せについて、前記各組合せに含まれない全ての前記電力供給装置に前記電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する
試験実行装置。
（付記８）
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
試験制御手段と
を含み、互いに並列に接続された複数台の電力供給装置、及び
試験実行装置
を備えた冗長電源システムにおける前記電力供給装置の試験方法であって、
前記電力供給装置によって、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御手順と、
前記試験実行装置によって、
前記負荷を動作させるために最低限必要な前記電力供給装置の全ての組合せにおける各組合せについて、前記各組合せに含まれない全ての前記電力供給装置に前記電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する手順と
を行う、電力供給装置の試験方法。
（付記９）
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
試験制御手段と
を含み、互いに並列に接続された複数台の電力供給装置、及び
試験実行装置
を備えた冗長電源システムにおける前記電力供給装置が備えるコンピュータに、
電圧低下試験の開始信号を受信した際に、前記安定化電源部に前記出力電圧値の絶対値を現在の電圧から低下させる電圧低下制御を開始することと、
前記コンパレータによって前記警報信号が出力された際、又は前記出力電圧値の絶対値が、前記負荷を動作させることが不可能な電圧に到達したと見做された際に、前記電圧低下制御を中止することと、
前記電圧低下制御の最中に前記警報信号が出力されたか否かを表す前記電圧低下試験の結果信号を送信することと
を行う試験制御処理を実行させる
電力供給装置の試験プログラム。
（付記１０）
入力電力を、出力電圧値を有する直流電力に変換する安定化電源部と、
前記安定化電源部によって変換された直流電力を負荷へ供給すると共に、前記負荷の側における直流電力の逆流を防止する逆流防止部と、
前記逆流防止部の前記負荷の側における負荷側電圧値の絶対値が、前記負荷を動作させるための定格電圧より絶対値が低く且つ前記負荷を動作させることが可能な所定の参照電圧値の絶対値以下である場合に警報信号を出力するコンパレータと、
試験制御手段と
を含み、互いに並列に接続された複数台の電力供給装置、及び
試験実行装置
を備えた冗長電源システムにおける前記試験実行装置が備えるコンピュータに、
前記負荷を動作させるために最低限必要な前記電力供給装置の全ての組合せにおける各組合せについて、前記各組合せに含まれない全ての前記電力供給装置に電圧低下試験の開始信号を送信し、送信した前記電圧低下試験の開始信号に応じた前記電圧低下試験の結果信号を、前記各組合せに含まれない全ての前記電力供給装置から受信し、
受信した前記電圧低下試験の結果信号に基づいて前記電圧低下試験の結果を出力する
処理を実行させる
試験実行装置の試験プログラム。
（付記１１）
前記試験実行装置は、前記複数台の電力供給装置の何れか１台である
付記１乃至５の何れか１項に記載の冗長電源システム。
（付記１２）
前記試験実行装置は、前記負荷に含まれる
付記１乃至５の何れか１項に記載の冗長電源システム。
（付記１３）
前記試験実行装置は、ＢＭＣ（Baseboard Management Controller）であり、
前記電力供給装置と、前記試験実行装置とは、ＩＰＭＩ規格（Intelligent Platform Management Interface規格）に準拠して互いに接続され、
前記ＩＰＭＩ規格は、前記電圧低下試験の開始信号と、前記電圧低下試験の結果信号とを送受信可能に拡張されている
付記１乃至５の何れか１項に記載の冗長電源システム。
（付記１４）
前記冗長電源システムは、前記電圧低下試験における前記全ての組合せのうち、ある組合せについて、
前記警報信号が出力された場合には、該電圧低下試験において前記出力電圧値の絶対値が低下させられた何れかの前記電力供給装置が故障していることを判定する一方、
前記警報信号が出力されなかった場合には、該電圧低下試験において前記出力電圧値の絶対値が低下させられなかった前記電力供給装置が故障していないことを判定する
付記１乃至５の何れか１項に記載の冗長電源システム。
（付記１５）
前記冗長電源システムが前記負荷及び前記電力供給装置に関してｎ＋ｍ冗長構成（ｎ及びｍは自然数）を成す場合に、前記負荷を動作させるために最低限必要な前記電力供給装置の台数を前記ｎにする
付記８に記載の電力供給装置の試験方法。
【産業上の利用可能性】
【０１３４】
本発明は、電気装置へ電力を供給する用途において利用できる。
【符号の説明】
【０１３５】
１００、１０５、１０７、１０９  電力供給装置
１１０  安定化電源部
１１５  Ａ／Ｄ変換部
１１７  Ｄ／Ｄ変換部
１２０  逆流防止部
１２５  Ｏｒｉｎｇ−ＦＥＴ
１２６  Ｏｒｉｎｇ制御部
１３０  参照電圧値
１４０  コンパレータ
１５０、１５５  試験制御部
１５６  ＭＣＵ
１５７、１５９  １次ＭＣＵ
１５８  ２次ＭＣＵ
１６０  ＰＦＣ部
１６５  リアクタンス
１６６  ダイオード
１６７  コンデンサ
１６８  ＰＦＣ制御部
１６９  ＰＦＣ−ＦＥＴ
１７０  ブリッジダイオード
１８０  ＥＭＩフィルタ
１９０  ＡＣスイッチ
２００  入力電力
３００、３０５  負荷
４００  試験ツール
４１０  サーバ
５００、５０５  試験実行部
５１５  ＢＭＣ
５１０  試験実行装置
６００、６０５  冗長電源システム
９０２  記憶装置
９０３  ＣＰＵ
９０４  キーボード
９０５  モニタ
９０６  内部バス
９０７  電力供給装置、試験実行装置、サーバ、ＢＭＣ
９０８  Ｉ／Ｏ装置
【図１】
2019118205.tif 000003
【図２】
2019118205.tif 000004
【図３】
2019118205.tif 000005
【図４】
2019118205.tif 000006
【図５】
2019118205.tif 000007
【図６】
2019118205.tif 000008
【図７】
2019118205.tif 000009
【図８】
2019118205.tif 000010
【図９】
2019118205.tif 000011
【図１０】
2019118205.tif 000012
【図１１】
2019118205.tif 000013
【図１２】
2019118205.tif 000014
【図１３】
2019118205.tif 000015
【図１４】
2019118205.tif 000016